(57)【要約】【課題】印刷条件に応じた頁を確認出力することにより、ユーザの操作負担を軽減するとともに、使い勝手の良い画像形成装置を提供する。【解決手段】画像形成装置１において、操作表示部５００（設定部）により設定された印刷条件に確認出力の実行が含まれる場合に、制御部１０１は、印刷条件と予め定められた決定条件とに基づいて、確認出力する頁を決定し、決定された確認出力する頁のみを対象として、画像形成部６００による確認出力用の画像形成処理を実行する。【選択図】図１
2010131760.tif 000002
【特許請求の範囲】
【請求項１】
ジョブの印刷条件を設定する設定部と、当該設定部により設定された前記印刷条件に応じて画像形成処理を行う画像形成部と、を備える画像形成装置において、
前記印刷条件には、確認出力の実行の有無に関する条件が含まれ、
前記設定部により設定された前記印刷条件に確認出力の実行が含まれる場合に、当該印刷条件と予め定められた決定条件とに基づいて、確認出力する頁を決定し、決定した当該確認出力する頁のみを対象として、前記画像形成部による確認出力用の画像形成処理を実行する制御を行う制御部を備えることを特徴とする画像形成装置。
【請求項２】
前記印刷条件には、使用する給紙トレイに関する条件が含まれ、
前記決定条件は、前記印刷条件に複数の給紙トレイの使用が含まれる場合に、第１頁を最初の頁とし、前記印刷条件に含まれる当該複数の給紙トレイの全てを使用することとなる頁を最後の頁として、当該最初の頁から当該最後の頁までの全頁を確認出力する頁として決定する条件であることを特徴とする請求項１に記載の画像形成装置。
【請求項３】
前記印刷条件には、使用する用紙の紙種に関する条件が含まれ、
前記決定条件は、前記印刷条件に複数の紙種の使用が含まれる場合に、第１頁を最初の頁とし、前記印刷条件に含まれる当該複数の紙種の全てを使用することとなる頁を最後の頁として、当該最初の頁から当該最後の頁までの全頁を確認出力する頁として決定する条件であることを特徴とする請求項１に記載の画像形成装置。
【請求項４】
前記印刷条件には、使用する給紙トレイに関する条件が含まれ、
前記決定条件は、前記印刷条件に複数の給紙トレイの使用が含まれる場合に、各給紙トレイを使用する頁のうちの、それぞれ一頁を、確認出力する頁として決定する条件であることを特徴とする請求項１に記載の画像形成装置。
【請求項５】
前記印刷条件には、使用する用紙の紙種に関する条件が含まれ、
前記決定条件は、前記印刷条件に複数の紙種の使用が含まれる場合に、各紙種を使用する頁のうちの、それぞれ一頁を、確認出力する頁として決定する条件であることを特徴とする請求項１に記載の画像形成装置。
【請求項６】
前記印刷条件には、複数のジョブを結合して連続的に実行するプログラミングジョブモードの有無に関する条件が含まれ、
前記決定条件は、前記印刷条件にプログラミングジョブモードが含まれる場合に、結合された各ジョブの先頭頁を確認出力する頁として決定する条件であることを特徴とする請求項１に記載の画像形成装置。
【請求項７】
前記印刷条件には、章分けモードの有無に関する条件が含まれ、
前記決定条件は、前記印刷条件に章分けモードが含まれる場合に、各章の先頭頁を確認出力する頁として決定する条件であることを特徴とする請求項１に記載の画像形成装置。
【発明の詳細な説明】
【技術分野】
【０００１】
本発明は、確認出力の機能を備える画像形成装置に関する。
【背景技術】
【０００２】
確認出力の機能を備える画像形成装置では、本出力に先立って、画像が所望の仕上がりとなっているか否かを確認することができる。
ところが、従来の画像形成装置における確認出力は、１部分の画像形成処理が全て実行されるため、１部が大量のページから成るジョブで確認出力を実行すると、ユーザが必要としているか否かに関らず大量の用紙に対して画像形成処理が実行されることとなり、ユーザが全ページの確認を必要としていない場合には無駄が発生してしまうという問題があった。
【０００３】
そこで、確認出力の実行前に、ユーザが予め枚数を指定し、指定された枚数分だけ確認出力を行う画像形成装置が知られている（例えば、特許文献１参照）。
また、確認出力の枚数をユーザが指定するマニュアル設定モードの他に、両面、ステイプル、縮小レイアウトモードの各モードに応じて確認出力の枚数を自動的に算出し、算出した枚数分だけ確認出力を行う画像形成装置も知られている（例えば、特許文献２参照）。
【特許文献１】特開２００３−２６６８９９号公報
【特許文献２】特開２００４−３２７０４号公報
【発明の開示】
【発明が解決しようとする課題】
【０００４】
しかしながら、上記特許文献１では、確認出力で出力する枚数をユーザが設定しなければならない。また、上記特許文献２であっても、両面、ステイプル、縮小レイアウトモードの各モードにおける枚数を予めユーザ自身で設定する必要があり、ユーザにとって面倒であるという問題があった。
【０００５】
また、上記特許文献１及び特許文献２を始めとする従来の画像形成装置では、単に、確認出力の枚数を指定可能なだけであって、確認出力の目的に応じて、確認出力の対象とする頁を指定することができない。
このように、従来の画像形成装置では、ユーザの操作負担が大きく、また、確認出力する頁を目的に応じて指定することができないため、ユーザの使い勝手が悪いという問題があった。
【０００６】
本発明の課題は、印刷条件に応じた頁を確認出力することにより、ユーザの操作負担を軽減するとともに、使い勝手の良い画像形成装置を提供することにある。
【課題を解決するための手段】
【０００７】
上記課題を解決するため、請求項１に記載の発明は、ジョブの印刷条件を設定する設定部と、当該設定部により設定された前記印刷条件に応じて画像形成処理を行う画像形成部と、を備える画像形成装置において、
前記印刷条件には、確認出力の実行の有無に関する条件が含まれ、
前記設定部により設定された前記印刷条件に確認出力の実行が含まれる場合に、当該印刷条件と予め定められた決定条件とに基づいて、確認出力する頁を決定し、決定した当該確認出力する頁のみを対象として、前記画像形成部による確認出力用の画像形成処理を実行する制御を行う制御部を備えることを特徴とする。
【０００８】
請求項２に記載の発明は、請求項１に記載の画像形成装置において、前記印刷条件には、使用する給紙トレイに関する条件が含まれ、
前記決定条件は、前記印刷条件に複数の給紙トレイの使用が含まれる場合に、第１頁を最初の頁とし、前記印刷条件に含まれる当該複数の給紙トレイの全てを使用することとなる頁を最後の頁として、当該最初の頁から当該最後の頁までの全頁を確認出力する頁として決定する条件であることを特徴とする。
【０００９】
請求項３に記載の発明は、請求項１に記載の画像形成装置において、前記印刷条件には、使用する用紙の紙種に関する条件が含まれ、
前記決定条件は、前記印刷条件に複数の紙種の使用が含まれる場合に、第１頁を最初の頁とし、前記印刷条件に含まれる当該複数の紙種の全てを使用することとなる頁を最後の頁として、当該最初の頁から当該最後の頁までの全頁を確認出力する頁として決定する条件であることを特徴とする。
【００１０】
請求項４に記載の発明は、請求項１に記載の画像形成装置において、前記印刷条件には、使用する給紙トレイに関する条件が含まれ、
前記決定条件は、前記印刷条件に複数の給紙トレイの使用が含まれる場合に、各給紙トレイを使用する頁のうちの、それぞれ一頁を、確認出力する頁として決定する条件であることを特徴とする。
【００１１】
請求項５に記載の発明は、請求項１に記載の画像形成装置において、前記印刷条件には、使用する用紙の紙種に関する条件が含まれ、
前記決定条件は、前記印刷条件に複数の紙種の使用が含まれる場合に、各紙種を使用する頁のうちの、それぞれ一頁を、確認出力する頁として決定する条件であることを特徴とする。
【００１２】
請求項６に記載の発明は、請求項１に記載の画像形成装置において、前記印刷条件には、複数のジョブを結合して連続的に実行するプログラミングジョブモードの有無に関する条件が含まれ、
前記決定条件は、前記印刷条件にプログラミングジョブモードが含まれる場合に、結合された各ジョブの先頭頁を確認出力する頁として決定する条件であることを特徴とする。
【００１３】
請求項７に記載の発明は、請求項１に記載の画像形成装置において、前記印刷条件には、章分けモードの有無に関する条件が含まれ、
前記決定条件は、前記印刷条件に章分けモードが含まれる場合に、各章の先頭頁を確認出力する頁として決定する条件であることを特徴とする。
【発明の効果】
【００１４】
請求項１に記載の発明によれば、印刷条件と予め定められた決定条件とに基づいて、確認出力する頁が決定され、確認出力する頁として決定された頁のみを対象として確認出力が実行されるため、印刷条件に応じた頁が確認出力されることとなり、ユーザの操作負担が軽減されるとともに、ユーザにとって使い勝手の良い画像形成装置となる。
【００１５】
請求項２に記載の発明によれば、請求項１に記載の発明の効果が得られることは無論のこと、印刷条件に複数の給紙トレイの使用が含まれる場合には、第１頁を最初の頁とし、印刷条件に含まれる複数の給紙トレイの全てを使用することとなる頁を最後の頁として、最初の頁から最後の頁までの全頁のみが確認出力されるため、使い勝手が向上する。
【００１６】
請求項３に記載の発明によれば、請求項１に記載の発明の効果が得られることは無論のこと、印刷条件に複数の紙種の使用が含まれる場合には、第１頁を最初の頁とし、印刷条件に含まれる複数の紙種の全てを使用することとなる頁を最後の頁として、最初の頁から最後の頁までの全頁のみが確認出力されるため、使い勝手が向上する。
【００１７】
請求項４に記載の発明によれば、請求項１に記載の発明の効果が得られることは無論のこと、印刷条件に複数の給紙トレイの使用が含まれる場合には、各給紙トレイを使用する頁のうちのそれぞれ一頁のみが確認出力されるため、使い勝手が向上する。
【００１８】
請求項５に記載の発明によれば、請求項１に記載の発明の効果が得られることは無論のこと、印刷条件に複数の紙種の使用が含まれる場合には、各紙種を使用する頁のうちのそれぞれ一頁のみが確認出力されるため、使い勝手が向上する。
【００１９】
請求項６に記載の発明によれば、請求項１に記載の発明の効果が得られることは無論のこと、印刷条件にプログラミングジョブモードが含まれる場合には、結合された各ジョブの先頭頁のみが確認出力されるため、使い勝手が向上する。
【００２０】
請求項７に記載の発明によれば、請求項１に記載の発明の効果が得られることは無論のこと、印刷条件に章分けモードが含まれる場合には、各章の先頭頁のみが確認出力されるため、使い勝手が向上する。
【発明を実施するための最良の形態】
【００２１】
以下、本発明に係る画像形成装置の一実施形態について、図面を参照して説明する。ただし、発明の範囲は図示例に限定されない。
【００２２】
図１は、本実施形態の画像形成装置１の概略構成を示す正面図である。
図１に示すように、本実施形態に係る画像形成装置１は、スキャナ機能、コピー機能、プリンタ機能を備えた、いわゆるディジタル複合機であり、本体部１０と、これにオプション接続された大容量トレイユニット２０及び後処理部３０と、を備えて構成される。
【００２３】
本体部１０は、スキャナ部２００、自動原稿給紙部（ＡＤＦ：Auto Document Feeder）３００、操作表示部５００、画像形成部６００、給紙トレイＦＴ１〜ＦＴ３を備える。
【００２４】
大容量トレイユニット２０は、例えば、図示しない複数の給紙トレイを備えており、本体部１０に用紙を給紙する。
【００２５】
後処理部３０は、本体部１０から搬送された用紙に各種後処理を行う、いわゆるフィニッシャーであり、例えば、本体部１０から搬送された用紙のソート処理を行うソートユニット、パンチ処理を行うパンチユニット、折り処理を行う折ユニット、断裁処理を行う断裁ユニット等を備える。後処理部３０の左側には、搬送された用紙が排紙される排紙トレイ（メイントレイＥＴ１、サブトレイＥＴ２）が設けられており、搬送された用紙が排紙される。
【００２６】
また、後処理部３０の上部には、挿入用紙用のトレイである２つのポストインサータ上段ＰＩ１、下段ＰＩ２が設けられており、ユーザのニーズに合わせて様々な種類の用紙を積載して給紙可能となっている。
例えば、何れかのポストインサータＰＩ１、ＰＩ２に、用紙片の一部に突出したタブ部を有するタブ紙や異なる配色が施されたカラーシート、すでに画像形成された用紙（以下、タブ紙等と称する）等を載置し、ジョブの印刷条件に従って給紙することにより、本体部１０から搬送された複数の印字用の用紙間に、これらの用紙を挿入することができる。
【００２７】
画像形成処理において、例えば、ＡＤＦ部３００の原稿トレイＴ１に載置された原稿は、スキャナ部２００の読取箇所であるコンタクトガラスに搬送され、スキャナ部２００の光学系により原稿の画像が読み取られる。ここで、画像とは、図形や写真等のイメージデータに限らず、文字や記号等のテキストデータ等も含む。
スキャナ部２００により読み取られた画像（アナログ画像信号）は、後述する状態管理部１００に出力され、状態管理部１００においてＡ／Ｄ変換され、各種画像処理が施された後、画像形成部６００に出力される。そして、画像形成部６００において、本体部１０又は大容量トレイユニット２０に備わる何れかの給紙トレイＦＴから給紙された用紙上に、ディジタル画像データに基づく画像が形成される。
画像形成された用紙は、画像形成部６００内の搬送部６１０により後処理部３０に搬送され、後処理部３０の後処理機構により所定の後処理を施された後、排紙トレイＥＴ１、ＥＴ２の何れかに排紙される。
なお、給紙トレイＦＴや排紙トレイＥＴの形態は、図１に例示したものに限定されず、例えば、その数は図示したものより多くても少なくてもよい。
【００２８】
ここで、画像形成装置１は、確認出力用の画像形成処理を行うための確認出力の機能を有している。確認出力用の画像形成処理とは、主に本出力用の画像形成処理の実行前に実行される画像確認のための画像形成処理であり、ジョブの印刷条件に確認出力の実行が含まれる場合に、ジョブの印刷条件に基づいて画像形成部６００により実行される。ユーザは、確認出力用の画像形成処理により出力された用紙上の画像を見て、本出力用の画像形成処理の前に、画像が所望の仕上がりとなっているか否かを確認することができる。
また、後述するように、確認出力用の画像形成処理は、ジョブの印刷条件と予め定められた決定条件とに基づいて決定された確認出力する頁のみを対象として実行されるようになっている。
【００２９】
なお、ジョブとは、画像形成に関する一連の動作を指し、例えば、複数枚の原稿を画像形成する場合には、複数枚の原稿の画像形成に関する一連の動作が１ジョブである。また、複数部数の画像形成を行う場合は、複数部数分の画像形成に関する一連の動作が１ジョブである。
【００３０】
図２は、画像形成装置１の機能的構成を示すブロック図である。
本体部１０は、状態管理部１００と、スキャナ部２００と、ＡＤＦ部３００と、プリンタコントローラ４００と、操作表示部５００と、画像形成部６００と、給紙トレイＦＴ１〜ＦＴ３と、残量検出センサＤと、を備えて構成される。
【００３１】
状態管理部１００は、例えば、制御部１０１、プログラムメモリ（ＲＯＭ：Read Only Memory）１０２、システムメモリ（ＲＡＭ：Random Access Memory）１０３、不揮発メモリ１０４、読み取り処理部１０５、書き込み処理部１０６、ＤＲＡＭ（Dynamic Random Access Memory）制御ＩＣ１０７、圧縮・伸長ＩＣ１０８及び画像メモリ１０９を備えて構成される。
【００３２】
制御部１０１は、例えば、ＣＰＵ（Central Processing Unit）等により構成され、ＲＯＭ１０２に記憶されているシステムプログラムや画像形成処理プログラム、後処理処理プログラム等の各種処理プログラムを読み出してＲＡＭ１０３に展開し、展開したプログラムに従って画像形成装置１の各部の動作を集中制御する。
【００３３】
例えば、制御部１０１は、操作表示部５００において設定された各ジョブの印刷条件をＲＡＭ１０３の所定の領域に格納し、格納された印刷条件に基づいて、ジョブに応じた画像形成処理を実行する。
また、制御部１０１は、操作表示部５００において設定された印刷条件に確認出力の実行が含まれる場合に、印刷条件と、予め操作表示部５００において設定された決定条件とに基づいて、確認出力する頁を決定し、決定した頁のみを対象として確認出力用の画像形成処理を実行する。
【００３４】
ＲＯＭ１０２は、例えば、半導体等の不揮発メモリ等により構成され、画像形成装置１に対応するシステムプログラム及び該システムプログラム上で実行可能な画像形成処理プログラム、後処理プログラム等の各種処理プログラム等を記憶する。これらのプログラムは、コンピュータが読み取り可能なプログラムコードの形態で格納され、制御部１０１は、当該プログラムコードに従った動作を逐次実行する。
【００３５】
ＲＡＭ１０３は、制御部１０１により実行される各種プログラム及びこれらプログラムに係るデータを一時的に記憶するワークエリアを形成し、実行中のジョブの設定情報等を記憶する。
不揮発メモリ１０４は、画像形成装置１に係る各種設定データ等を記憶する。
【００３６】
読み取り処理部１０５は、スキャナ部２００から入力されたアナログ画像信号に、アナログ信号処理、Ａ／Ｄ変換処理、シェーディング処理等の各種処理を施し、ディジタル画像データを生成し、ＤＲＡＭ制御ＩＣ１０７へ出力する。
書き込み処理部１０６は、圧縮・伸長ＩＣ１０８から入力される画像データに基づくＰＷＭ(Pulse Width Modulation)信号を生成し、画像形成部６００へ出力する。
【００３７】
ＤＲＡＭ制御ＩＣ１０７は、制御部１０１からの制御に基づいて、圧縮・伸長ＩＣ１０８の圧縮・伸長処理を制御するとともに、画像メモリ１０９における画像データの入出力制御を行う。
具体的には、読み取り処理部１０５から入力されたディジタル画像データ、又はプリンタコントローラ４００から入力された画像データを圧縮・伸長ＩＣ１０８により圧縮させ、圧縮された画像データを画像メモリ１０９の圧縮メモリ１０９ａに書き込んで一時的に記憶させる。また、画像メモリ１０９に記憶されている画像データを圧縮・伸長ＩＣ１０８により伸長させ、書き込み処理部１０６に出力する。この際、制御部１０１から合成処理を施す旨の制御信号が出力された場合には、ＤＲＡＭ制御ＩＣ１０７は、画像データを圧縮・伸長ＩＣ１０８により伸長させてから、不揮発メモリ１０４内の固有の画像データを重ね書きして、書き込み処理部１０６に出力する。
また、ＤＲＡＭ制御ＩＣ１０７は、プリンタコントローラ４００から入力された制御データを制御部１０１に出力する。
【００３８】
圧縮・伸長ＩＣ１０８は、ＤＲＡＭ制御ＩＣ１０７の制御により画像データの圧縮処理、伸長処理を行う。
画像メモリ１０９は、例えば、ＤＲＡＭで構成される圧縮メモリ１０９ａ、ページメモリ１０９ｂを有する。圧縮メモリ１０９ａは、例えば、ＤＲＡＭ制御ＩＣ１０７から入力される制御信号に従って、圧縮・伸長ＩＣ１０８で圧縮されたジョブファイルを一時的に記憶する。ページメモリ１０９ｂは、例えば、印刷出力前にプリント出力対象の非圧縮のジョブファイルを一時的に記憶する。
【００３９】
スキャナ部２００は、例えば、ＣＣＤ２０１等のイメージセンサと、スキャナ制御部２０２と、を備えて構成される。スキャナ制御部２０２は、制御部１０１からの制御信号に基づいて、スキャナ部２００の各部を駆動制御する。具体的には、コンタクトガラスに載置された原稿面の露光走査を実行させ、反射光をＣＣＤ２０１において結像させて画像を読み取る。そして、この結像された光信号を光電変換してアナログ画像信号を生成させ、読み取り処理部１０５へ出力する。
【００４０】
ＡＤＦ部３００は、制御部１０１からの制御信号に基づいて、ＡＤＦ部３００の制御を行うＡＤＦ制御部３０１を備え、原稿トレイＴ１に載置された原稿をスキャナ部２００のコンタクトガラス上に１枚ずつ自動給送する。
【００４１】
プリンタコントローラ４００は、画像形成装置１をネットワークプリンタとして使用する場合に、ネットワークに接続される外部装置から画像形成装置１に入力される画像データやジョブの管理及び制御を行うものであり、コントローラ制御部４０１、ＤＲＡＭ制御ＩＣ４０２、画像メモリ４０３、ＬＡＮＩＦ４０４等を備えて構成される。
【００４２】
コントローラ制御部４０１は、プリンタコントローラ４００の各部の動作を統括的に制御する。
ＤＲＡＭ制御ＩＣ４０２は、コントローラ制御部４０１からの指示に従って、ＬＡＮＩＦ４０４により受信されたデータの画像メモリ４０３への格納や、画像メモリ４０３からのデータの読み出しを制御する。また、ＤＲＡＭ制御ＩＣ４０２は、制御部１０１のＤＲＡＭ制御ＩＣ１０７とＰＣＩ（Peripheral Components Interconnect）バスで接続されており、コントローラ制御部４０１からの指示に従って、プリント対象のデータを画像メモリ４０３から読み出してＤＲＡＭ制御ＩＣ１０７に出力する。
画像メモリ４０３は、例えば、ＤＲＡＭから構成され、入力されたデータを一時的に格納する。
ＬＡＮＩＦ４０４は、例えば、ＮＩＣ（Network Interface Card）やモデム等の通信インターフェースであり、ＬＡＮ等の通信ネットワークＮに接続された外部装置からジョブの印刷条件、印刷データを始めとするデータを受信する。外部装置から受信されたデータは、ＤＲＡＭ制御ＩＣ４０２に出力される。
【００４３】
操作表示部５００は、表示部５０１、表示部５０１に一体的に備わるタッチパネル５０２、操作表示制御部５０３、図示しないその他の操作キー群を備えて構成される。
【００４４】
表示部５０１は、例えば、ＬＣＤ（Liquid Crystal Display）により構成され、操作表示制御部５０３からの表示制御信号に従って、画面上に、ジョブの印刷条件を設定するための印刷条件設定画面や、確認出力する頁を決定するための決定条件を設定するための決定条件設定画面、その他の各種設定画面、画像の状態表示、各機能の動作状況等の表示を行う。
また、表示部５０１の画面上には、透明電極を格子状に配置した感圧式（抵抗膜圧式）のタッチパネル５０２が構成されており、手指やタッチペン等で操作された力点のＸＹ座標を電圧値で検出し、検出された位置信号を操作信号として操作表示制御部５０３に出力する。
操作表示制御部５０３は、制御部１０１からの制御信号に基づいて、表示部５０１における表示制御を行う。また、操作表示制御部５０３は、表示部５０１上のタッチパネル５０２又は操作キー群から入力された操作信号を制御部１０１に出力する制御を行う。
【００４５】
具体的には、操作表示部５００は、設定部として、ユーザがジョブの印刷条件を設定する際に操作される。
印刷条件は、用紙に画像形成を行うための条件であり、ジョブの各々について設定される。印刷条件には、例えば、確認出力の実行の有無や、使用する給紙トレイに関する条件、使用する用紙の紙種に関する条件、プログラミングジョブモードの有無に関する条件、章分けモードの有無に関する条件が含まれる。また、その他、画像形成処理において使用する用紙サイズや、画像の濃度、縮小率、印刷面（両面／片面）、排紙先とする排紙トレイ等を印刷条件として指定することができる。
【００４６】
これらの印刷条件は、表示部５０１に表示された印刷条件設定画面で、ユーザがタッチパネル５０２を操作することにより設定され、ジョブ情報の一部としてＲＡＭ１０３に格納される。そして、ＲＡＭ１０３に格納された印刷条件に基づいて、画像形成部６００による画像形成処理が実行される。
例えば、ジョブの印刷条件に確認出力の印刷条件が含まれる場合には、本出力用の画像形成処理の前に、画像形成部６００により確認出力用の画像形成処理が実行される。このとき、制御部１０１は、そのジョブの印刷条件と予め設定された決定条件とに基づいて確認出力する頁を決定し、決定した確認出力する頁のみを対象として、確認出力用の画像形成処理を行う。
【００４７】
図３は、ジョブ情報の一例である。図３に示すように、ジョブ情報は、ジョブ毎にＲＡＭ１０３のワークエリアに格納される。例えば、ＲＡＭアドレス「ｘｘｘｘｘ」のワークエリアに、ジョブ１のジョブ情報が格納され、ＲＡＭアドレス「ｙｙｙｙｙ」のワークエリアに、ジョブ２のジョブ情報が格納され、ＲＡＭアドレス「ｚｚｚｚｚ」のワークエリアに、ジョブ３のジョブ情報が格納される。
【００４８】
また、各ジョブのジョブ情報は、印刷条件情報と画像情報とから構成される。印刷条件情報は、印刷条件設定画面上で設定された印刷条件を示す情報であり、画像情報とは、用紙に画像形成する画像の情報である。
【００４９】
印刷条件情報は、プリントモード情報と、排出先情報と、給紙トレイ情報と、紙種情報と、インターシート情報と、を含んで構成される。
プリントモード情報は、用紙の印刷面（両面又は片面）を設定する印刷条件情報である。例えば、図３のジョブ２では、印刷面として片面が設定されている。
排紙先情報とは、ジョブで使用する排紙トレイを設定する印刷条件情報である。例えば、図３のジョブ２では、排紙トレイとしてメイントレイＥＴ１が設定されている。
給紙トレイ情報とは、ジョブで使用する給紙トレイを設定する印刷条件情報である。例えば、図３のジョブ２では、給紙トレイとして給紙トレイＦＴ１が設定されている。
紙種情報とは、ジョブで使用する用紙の紙種（例えば、普通紙、上質紙、厚紙等）を設定する印刷条件情報である。例えば、図３のジョブ２では、使用する用紙の紙種として普通紙が設定されている。
インターシート情報とは、インターシートに関する各種の設定に関する印刷条件情報であり、例えば、図３では、ジョブ２に、２つのインターシートの設定がなされている。１つ目の第１インターシート設定は、挿入頁として第３〜第１０頁、プリントモードとして両面プリント、使用する給紙トレイとして給紙トレイＦＴ２、使用する用紙の紙種として厚紙を設定する情報である。また、２つ目の第２インターシート設定は、挿入頁として第１５頁、プリントモードとして片面プリント、使用する給紙トレイとして給紙トレイＦＴ３、使用する用紙の紙種として普通紙を設定する情報である。
【００５０】
また、ジョブ情報内の画像データには、各頁の画像データを持つ圧縮メモリ１０９ａのアドレスが格納されている。図４に、画像データのイメージ図の一例を示す。図４に示すように、画像データは、頁毎にページヘッダと画像情報とから構成され、圧縮メモリ１０９ａに格納されている。例えば、圧縮メモリアドレス「ＡＡＡＡ１」を先頭とする領域には、第１頁のページヘッダが格納され、圧縮メモリアドレス「ＢＢＢＢ１」を先頭とする領域には、第１頁の画像情報が格納される。
【００５１】
ページヘッダは、例えば、ページの番号を設定するページ情報、画像サイズを設定する画像サイズ情報、用紙の印刷面（両面／片面）を設定するプリントモード情報、使用する給紙トレイを設定する給紙トレイ情報、使用する用紙の紙種を設定する紙種情報等から構成される。例えば、図３に示す第１頁のページヘッダでは、ページ情報として第１頁、画像サイズ情報として１２３４×５２７８、プリントモード情報として片面、給紙トレイ情報として給紙トレイＦＴ１、紙種情報として普通紙が設定されている。
【００５２】
また、図３に示すように、ジョブ情報の印刷条件情報にインターシートの設定が含まれる場合には、圧縮メモリ１０９ａ内の画像データにインターシートの設定が反映される。具体的には、図４に示すように、第３〜第１０頁の画像データは、図３における第１インターシート設定を反映したものとなり、第１５頁の画像データは、図３における第２インターシート設定を反映したものとなる。
【００５３】
また、操作表示部５００は、ユーザが、確認出力する頁を決定するための決定条件を設定する際に操作される。
決定条件とは、確認出力する頁を決定するための条件であり、本実施形態では、図示しない決定条件設定画面上で、ユーザが、下記の６つの決定条件のそれぞれについて、設定の有無を予め選択できるようになっている。制御部１０１は、確認出力の対象となるジョブについて、印刷条件と設定されている決定条件とに基づいて確認出力する頁を決定する。
【００５４】
第１の決定条件は、確認出力の対象となるジョブの印刷条件において、複数の給紙トレイが使用する給紙トレイとして設定されている場合に、第１頁を最初の頁とし、印刷条件に含まれる複数の給紙トレイの全てを使用することとなる頁を最後の頁として、最初の頁から最後の頁までの全頁を確認出力する頁として決定する条件である。
第２の決定条件は、確認出力の対象となるジョブの印刷条件において、複数の紙種が使用する紙種として設定されている場合に、第１頁を最初の頁とし、印刷条件に含まれる複数の紙種の全てを使用することとなる頁を最後の頁として、最初の頁から最後の頁までの全頁を確認出力する頁として決定する条件である。
第３の決定条件は、確認出力の対象となるジョブの印刷条件において、複数の給紙トレイが使用する給紙トレイとして設定されている場合に、各給紙トレイを使用する頁のうちの先頭頁を、確認出力する頁として決定する条件である。
第４の決定条件は、確認出力の対象となるジョブの印刷条件において、複数の紙種が使用する紙種として設定されている場合に、各紙種の用紙を使用する頁のうちの先頭頁を、確認出力する頁として決定する条件である。
第５の決定条件は、確認出力の対象となるジョブの印刷条件において、プログラミングジョブモードが設定されている場合に、結合された各ジョブの先頭頁を確認出力する頁として決定する条件である。
第６の決定条件は、確認出力の対象となるジョブの印刷条件において、章分けモードが設定されている場合に、各章の先頭頁を確認出力する頁として決定する条件である。
これら第１〜第６の決定条件に基づいて確認出力する頁を決定する具体的な手法については、後に詳述する。
【００５５】
ユーザは、決定条件設定画面において、第１〜第６の決定条件のそれぞれを設定するか否かを指定する。決定条件設定画面において指定された各決定条件の設定の有無に関する情報は、不揮発メモリ１０４に格納され、確認出力する頁を決定する際に読み出されることとなる。
なお、上述の６つの決定条件のうち、第１の決定条件と第３の決定条件とは、一つのジョブに対して同時に設定することができず、あるジョブに対して一方の決定条件を設定する場合には、もう一方の決定条件は設定することができないようになっている。また、第２の決定条件と第４の決定条件とは、一つのジョブに対して同時に設定することができず、あるジョブに対して一方の決定条件を設定する場合には、もう一方の決定条件は設定することができないようになっている。
【００５６】
画像形成部６００は、搬送部６１０、ＬＤ(Laser Diode)部６２０、プリンタ制御部６３０を備えて構成され、書き込み処理部１０６から入力された画像データに基づいて用紙に画像を形成する。
【００５７】
搬送部６１０は、例えば、ＬＤ部６２０内の搬送経路に従って用紙を搬送するための給紙ローラ６１１、レジストローラ６１２、排紙ローラ６１３をはじめとする各種ローラ、搬送路切換板６１４及び反転部６１５等を備える。搬送部６１０は、プリンタ制御部６３０からの制御に基づいて、ジョブの印刷条件において設定された給紙トレイから、用紙を給紙して、給紙された用紙を搬送経路に従って搬送する。
また、ＬＤ部６２０の搬送経路上には、図示しない複数のセンサが設けられている。これらのセンサは、用紙が通過する際に検出信号を発生し、これをプリンタ制御部６３０に出力する。
【００５８】
ＬＤ部６２０は、ＬＤ６２１、感光体ドラム６２２、帯電部６２３、現像部６２４、転写部６２５、定着部６２６等を備える。
ＬＤ部６２０は、プリンタ制御部６３０からの指示に基づいて、ＬＤ部６２０の感光体ドラム６２２表面を帯電部６２３により帯電させ、書き込み処理部１０６から入力されたＰＷＭ信号に基づいてＬＤ６２１により感光体ドラム６２２表面にレーザ光を照射することにより静電潜像を形成する。そして、現像部６２４において感光体ドラム６２２表面の静電潜像を含む領域にトナーを付着させ、転写部６２５により用紙にトナーを転写して画像を形成する。そして、転写された画像を定着部６２６で定着させた後、画像形成済みの用紙を排紙ローラ６１３により後処理部３０へ搬送する。
【００５９】
プリンタ制御部６３０は、制御部１０１からの制御信号を受信して、ＬＤ部６２０の各部の動作を制御する。また、プリンタ制御部６３０は、搬送経路上に設けられたセンサからの検出信号に基づいて、給紙した用紙の枚数をカウントし、制御部１０１に出力する。
また、プリンタ制御部６３０は、各ジョブの実行中に、給紙ローラ６１１付近に設けられたセンサ（図示省略）から出力されるセンサ信号をカウントすることにより、給紙した用紙の枚数をカウントし、制御部１０１に出力する。
【００６０】
次に、図５のフローチャートを参照しながら、第１の決定条件又は第２の決定条件が設定されている場合に行われる確認出力処理の流れについて説明する。
【００６１】
ステップＳ１０１において、制御部１０１は、ジョブの印刷条件に基づいて、印刷モードが本出力と確認出力との何れであるかを判断し、本出力であると判断すると、ステップＳ１０２に進み、確認出力であると判断すると、ステップＳ１０８に進む。
ステップＳ１０２において、制御部１０１は、印刷頁Ｐに部の先頭頁をセットする（Ｐ＝１）。
ステップＳ１０３において、制御部１０１は、画像形成部６００により印刷頁Ｐの画像形成処理を実行する。
ステップＳ１０４において、制御部１０１は、印刷頁Ｐをインクリメントする（Ｐ＝Ｐ＋１）。
ステップＳ１０５において、制御部１０１は、印刷頁Ｐは部の最終頁であるか否かを判断し、印刷頁Ｐは部の最終頁であると判断すると（ステップＳ１０５；ＹＥＳ）、ステップＳ１０６に進み、一方、印刷頁Ｐは部の最終頁でないと判断すると（ステップＳ１０５；ＮＯ）、ステップＳ１０３に戻る。
ステップＳ１０６において、制御部１０１は、部数をカウントアップする。
ステップＳ１０７において、制御部１０１は、設定部数の画像形成処理が終了したか否かを判断し、設定部数の出力が終了したと判断すると（ステップＳ１０７；ＹＥＳ）、本処理を終了し、一方、設定部数の出力が終了していないと判断すると（ステップＳ１０７；ＮＯ）、部数をインクリメントして、ステップＳ１０２に戻る。
【００６２】
ステップＳ１０８において、制御部１０１は、設定されている決定条件に基づいて、対象とする印刷条件を特定する。具体的には、第１の決定条件が設定されている場合には、「給紙トレイ」を対象とする印刷条件として特定し、ジョブで使用する全ての給紙トレイを特定する。また、第２の決定条件が設定されている場合には、「紙種」を対象とする印刷条件として特定し、ジョブで使用する全ての紙種を特定する。
ステップＳ１０９において、制御部１０１は、印刷頁Ｐに部の先頭頁をセットする（Ｐ＝１）。
ステップＳ１１０において、制御部１０１は、画像形成部６００により印刷頁Ｐの画像形成処理を実行する。
ステップＳ１１１において、制御部１０１は、印刷頁Ｐの印刷条件を印刷済みバッファに格納する。このとき、第１の決定条件が設定されている場合には、制御部１０１は、印刷頁Ｐの印刷条件で設定された給紙トレイを印刷済みバッファに格納する。また、第２の決定条件が設定されている場合には、制御部１０１は、印刷頁Ｐの印刷条件で設定された紙種を印刷済みバッファに格納する。
ステップＳ１１２において、制御部１０１は、ジョブの印刷条件（給紙トレイ又は紙種）と印刷済みバッファとを比較して、ジョブの印刷条件の頁は全て出力済みであるか否かを判断する。具体的には、第１の決定条件が設定されている場合には、制御部１０１は、ジョブで使用する全ての給紙トレイと、印刷済みバッファに格納されている給紙トレイとを比較して、ジョブで使用する全ての給紙トレイと印刷済みバッファ内の給紙トレイとが一致するか否かを判断する。また、第２の決定条件が設定されている場合には、制御部１０１は、ジョブで使用する全ての紙種と、印刷済みバッファに格納されている紙種とを比較して、ジョブで使用する全ての紙種と印刷済みバッファ内の紙種とが一致するか否かを判断する。そして、ステップＳ１１２において、制御部１０１は、ジョブの印刷条件の頁は全て出力済みでないと判断すると（ステップＳ１１２；ＮＯ）、ステップＳ１１３に進み、一方、ジョブの印刷条件の頁は全て出力済みであると判断すると（ステップＳ１１２；ＹＥＳ）、印刷頁Ｐを最後の頁として、本処理を終了する。
ステップＳ１１３において、制御部１０１は、印刷頁Ｐをインクリメントする（Ｐ＝Ｐ＋１）。
ステップＳ１１４において、制御部１０１は、印刷頁Ｐは部の最終頁であるか否かを判断し、印刷頁Ｐは部の最終頁であると判断すると（ステップＳ１１４；ＹＥＳ）、本処理を終了し、一方、印刷頁Ｐは部の最終頁でないと判断すると（ステップＳ１１４；ＮＯ）、ステップＳ１１０に戻る。
【００６３】
ここで、第１の決定条件が設定されている場合に、制御部１０１が、確認出力の対象となるジョブの印刷条件と第１の決定条件とに基づいて確認出力する頁を決定する処理の具体例について説明する。ここでは、一例として、図６に示すジョブを対象として確認出力を実行することとする。
【００６４】
図６に示すように、このジョブでは、印刷条件として、全体設定の他に２つのインターシート設定が含まれている。また、ジョブの頁数は「２０頁」であり、全体設定において、使用する給紙トレイとして「給紙トレイＦＴ１」、使用する紙種として「普通紙」が設定されている。また、第１インターシート設定において、挿入頁として「第３〜第１０頁」、使用する給紙トレイとして「給紙トレイＦＴ２」、使用する用紙の紙種として「厚紙」が設定されている。また、第２インターシート設定において、挿入頁として「第１５頁」、使用する給紙トレイとして「給紙トレイＦＴ３」、使用する用紙の紙種として「普通紙」が設定されている。
【００６５】
まず、制御部１０１は、第１の決定条件の設定に応じて「給紙トレイ」を対象とする印刷条件として特定すると、ジョブの印刷条件情報に含まれる給紙トレイ情報（図３参照）に基づいて、ジョブで使用予定の給紙トレイを特定する。これにより、「給紙トレイＦＴ１、給紙トレイＦＴ２、給紙トレイＦＴ３」の３つの給紙トレイが、使用予定の給紙トレイとして特定される。
ジョブで使用予定の給紙トレイを特定すると、制御部１０１は、ジョブの第１頁を最初の頁として決定する。そして、最初の頁を対象頁として、画像形成部６００による確認出力用の画像形成処理を実行するとともに、対象頁の画像形成処理に使用した給紙トレイを識別する情報を、印刷済みバッファに格納する。すなわち、印刷済みバッファには、既に使用した給紙トレイが記憶されることとなる。
次に、制御部１０１は、使用予定の給紙トレイＦＴ１〜ＦＴ３と、印刷済みバッファに格納された使用済みの給紙トレイとを比較し、使用予定の給紙トレイＦＴ１〜ＦＴ３を全て使用したか否かを判断する。そして、使用予定の給紙トレイＦＴ１〜ＦＴ３に未使用の給紙トレイＦＴがあると判断すると、次頁を対象頁として、使用予定の給紙トレイＦＴ１〜ＦＴ３が全て使用されるまで、以上の処理（対象頁の画像形成処理、及び、使用予定の給紙トレイを全て使用したか否かの判断）を繰り返す。
一方、制御部１０１は、使用予定の給紙トレイＦＴ１〜ＦＴ３を全て使用したと判断すると、その時点での対象頁を最終頁として決定し、確認出力を終了する。
【００６６】
図６のジョブでは、第１頁、第２頁、第１１頁〜第１４頁、第１６頁〜第２０頁で、給紙トレイＦＴ１が使用され、第１インターシート設定で挿入される第３〜第１０頁で、給紙トレイＦＴ２が使用され、第２インターシート設定で挿入される第１５頁で、給紙トレイＦＴ３が使用される。つまり、ジョブで使用する給紙トレイ（給紙トレイＦＴ１、給紙トレイＦＴ２、給紙トレイＦＴ３）を全て使用することとなる最も先頭の頁は、第１５頁である。
すなわち、このジョブでは、第１頁が最初の頁と決定される。そして、第１頁から順に画像形成処理が実行されて、第１５頁の画像形成処理が終了した段階で、使用予定の給紙トレイＦＴ１〜ＦＴ３が全て使用済みである判断され、第１５頁が最後の頁とされる。したがって、図６のジョブでは、図７（ａ）に示すように、第１頁から第１５頁までの全頁が、確認出力されることとなる。
【００６７】
次に、第２の決定条件が設定されている場合に、上述した図６のジョブを対象として、制御部１０１が、確認出力の対象となるジョブの印刷条件と第２の決定条件とに基づいて確認出力する頁を決定する処理の具体例について説明する。
【００６８】
まず、制御部１０１は、第２の決定条件の設定に応じて「紙種」を対象とする印刷条件として特定すると、ジョブの印刷条件情報に含まれる紙種情報（図３参照）に基づいて、ジョブで使用予定の紙種を特定する。これにより、「普通紙、厚紙」の２つの紙種が、使用予定の紙種として特定される。
ジョブで使用予定の紙種を特定すると、制御部１０１は、ジョブの第１頁を最初の頁として決定する。そして、最初の頁を対象頁として、画像形成部６００による確認出力用の画像形成処理を実行するとともに、対象頁の画像形成処理に使用した紙種を識別する情報を、印刷済みバッファに格納する。すなわち、印刷済みバッファには、既に使用した紙種に関する情報が格納されることとなる。
次に、制御部１０１は、使用予定の紙種「普通紙、厚紙」と、印刷済みバッファに格納された使用済みの紙種とを比較し、使用予定の紙種「普通紙、厚紙」を全て使用したか否かを判断する。そして、使用予定の紙種「普通紙、厚紙」に未使用の紙種があると判断すると、次頁を対象頁として、使用予定の紙種「普通紙、厚紙」が全て使用されるまで、以上の処理（対象頁の画像形成処理、及び、使用予定の紙種を全て使用したか否かの判断）を繰り返す。
一方、制御部１０１は、使用予定の紙種「普通紙、厚紙」を全て使用したと判断すると、その時点での対象頁を最終頁として決定し、確認出力を終了する。
【００６９】
図６のジョブでは、第１頁、第２頁、第１１頁〜第１４頁、第１６頁〜第２０頁と、第２インターシート設定で挿入される第１５頁とで、普通紙が使用され、第１インターシート設定で挿入される第３〜第１０頁で、厚紙が使用されることとなる。つまり、ジョブで使用する紙種（普通紙と厚紙）を全て使用することとなる最も先頭の頁は、第３頁である。
すなわち、このジョブでは、第１頁が最初の頁と決定される。そして、第１頁から順に画像形成処理が実行されて、第３頁の画像形成処理が終了した段階で、使用予定の紙種「普通紙、厚紙」が全て使用済みである判断され、第３頁が最後の頁とされる。したがって、図６のジョブでは、図７（ｂ）に示すように、第１頁から第３頁までの全頁が、確認出力されることとなる。
【００７０】
次に、図８のフローチャートを参照しながら、第３の決定条件又は第４の決定条件が設定されている場合に行われる確認出力処理の流れについて説明する。
【００７１】
ステップＳ２０１において、制御部１０１は、ジョブの印刷条件に基づいて、印刷モードが本出力と確認出力との何れであるかを判断し、本出力であると判断すると、ステップＳ２０２に進み、確認出力であると判断すると、ステップＳ２０８に進む。
ステップＳ２０２において、制御部１０１は、印刷頁Ｐに部の先頭頁をセットする（Ｐ＝１）。
ステップＳ２０３において、制御部１０１は、画像形成部６００により印刷頁Ｐの画像形成処理を実行する。
ステップＳ２０４において、制御部１０１は、印刷頁Ｐをインクリメントする（Ｐ＝Ｐ＋１）。
ステップＳ２０５において、制御部１０１は、印刷頁Ｐは部の最終頁であるか否かを判断し、印刷頁Ｐは部の最終頁であると判断すると（ステップＳ２０５；ＹＥＳ）、ステップＳ２０６に進み、一方、印刷頁Ｐは部の最終頁でないと判断すると（ステップＳ２０５；ＮＯ）、ステップＳ２０３に戻る。
ステップＳ２０６において、制御部１０１は、部数をカウントアップする。
ステップＳ２０７において、制御部１０１は、設定部数の画像形成処理が終了したか否かを判断し、設定部数の出力が終了したと判断すると（ステップＳ２０７；ＹＥＳ）、本処理を終了し、一方、設定部数の出力が終了していないと判断すると（ステップＳ２０７；ＮＯ）、部数をインクリメントして、ステップＳ２０２に戻る。
【００７２】
ステップＳ２０８において、制御部１０１は、設定されている決定条件に基づいて、対象とする印刷条件を特定する。具体的には、第３の決定条件が設定されている場合には、「給紙トレイ」を対象とする印刷条件として特定し、第４の決定条件が設定されている場合には、「紙種」を対象とする印刷条件として特定する。
ステップＳ２０９において、制御部１０１は、チェックバッファＯに先頭頁をセットする（Ｏ＝１）。
ステップＳ２１０において、制御部１０１は、チェックバッファに格納されている頁Ｏの印刷条件（給紙トレイ又は紙種）は、印刷対象リストに存在するか否かを判断し、頁Ｏの印刷条件が印刷対象リストに存在しないと判断すると（ステップＳ２１０；ＮＯ）、ステップＳ２１１に進み、頁Ｏの印刷条件が印刷対象リストに存在すると判断すると（ステップＳ２１０；ＹＥＳ）、ステップＳ２１２に進む。
ステップＳ２１１において、制御部１０１は、頁Ｏの頁番号を印刷対象リストに格納する。
ステップＳ２１２において、制御部１０１は、チェックバッファＯをインクリメントする（Ｏ＝Ｏ＋１）。
ステップＳ２１３において、制御部１０１は、頁Ｏは部の最終頁であるか否かを判断し、頁Ｏが部の最終頁でないと判断すると（ステップＳ２１３；ＮＯ）、ステップＳ２１０に進み、頁Ｏが部の最終頁であると判断すると（ステップＳ２１３；ＹＥＳ）、ステップＳ２１４に進む。
ここで、ステップＳ２０８〜ステップＳ２１３の処理により、ジョブに含まれる全ての印刷条件（給紙トレイ又は紙種）の先頭頁が印刷対象トレイに格納されることとなる。
【００７３】
ステップＳ２１４において、制御部１０１は、印刷頁Ｐに部の先頭頁をセットする（Ｐ＝１）。
ステップＳ２１５において、制御部１０１は、印刷頁Ｐは印刷対象リストに存在するか否かを判断し、印刷頁Ｐが印刷対象リストに存在すると判断すると（ステップＳ２１５；ＹＥＳ）、ステップＳ２１６に進み、印刷頁Ｐが印刷対象リストに存在しないと判断すると（ステップＳ２１５；ＮＯ）、ステップＳ２１７に進む。
ステップＳ２１６において、制御部１０１は、画像形成部６００により印刷頁Ｐの画像形成処理を実行する。
ステップＳ２１７において、制御部１０１は、印刷頁Ｐは部の最終頁であるか否かを判断し、印刷頁Ｐは部の最終頁であると判断すると（ステップＳ２１７；ＹＥＳ）、本処理を終了し、一方、印刷頁Ｐは部の最終頁でないと判断すると（ステップＳ２１７；ＮＯ）、ステップＳ２１８に進む。
ステップＳ２１８において、制御部１０１は、印刷頁Ｐをインクリメントし（Ｐ＝Ｐ＋１）、ステップＳ２１５に戻る。
【００７４】
次に、第３の決定条件が設定されている場合に、上述した図６のジョブを対象として、制御部１０１が、確認出力の対象となるジョブの印刷条件と第３の決定条件とに基づいて確認出力する頁を決定する処理の具体例について説明する。
【００７５】
まず、制御部１０１は、第３の決定条件の設定に応じて「給紙トレイ」を対象とする印刷条件として特定すると、ジョブの印刷条件情報に含まれる給紙トレイ情報に基づいて、ジョブで使用予定の給紙トレイを特定する。これにより、「給紙トレイＦＴ１、給紙トレイＦＴ２、給紙トレイＦＴ３」の３つの給紙トレイが、使用予定の給紙トレイとして特定される。
ジョブで使用予定の給紙トレイを特定すると、制御部１０１は、ジョブで使用予定の各給紙トレイを使用する先頭頁を特定する。そして、制御部１０１は、各給紙トレイを使用する先頭頁として特定された頁を対象頁として、画像形成部６００による確認出力用の画像形成処理を実行する。
【００７６】
図６のジョブでは、第１頁、第２頁、第１１頁〜第１４頁、第１６頁〜第２０頁で、給紙トレイＦＴ１が使用され、第１インターシート設定で挿入される第３〜第１０頁で、給紙トレイＦＴ２が使用され、第２インターシート設定で挿入される第１５頁で、給紙トレイＦＴ３が使用される。
すなわち、このジョブでは、第１頁が給紙トレイＦＴ１を使用する先頭頁として特定され、第３頁が給紙トレイＦＴ２を使用する先頭頁として特定され、第１５頁が給紙トレイＦＴ３を使用する先頭頁として特定される。したがって、図６のジョブでは、図９（ａ）に示すように、第１頁と、第３頁と、第１５頁とが、確認出力されることとなる。
【００７７】
次に、第４の決定条件が設定されている場合に、上述した図６のジョブを対象として、制御部１０１が、確認出力の対象となるジョブの印刷条件と第４の決定条件とに基づいて確認出力する頁を決定する処理の具体例について説明する。
【００７８】
まず、制御部１０１は、第４の決定条件の設定に応じて「紙種」を対象とする印刷条件として特定すると、ジョブの印刷条件情報に含まれる紙種情報（図３参照）に基づいて、ジョブで使用予定の紙種を特定する。これにより、「普通紙、厚紙」の２つの紙種が、使用予定の紙種として特定される。
ジョブで使用予定の紙種を特定すると、制御部１０１は、ジョブで使用予定の各紙種を使用する先頭頁を特定する。そして、制御部１０１は、各紙種を使用する先頭頁として特定された頁を対象頁として、画像形成部６００による確認出力用の画像形成処理を実行する。
【００７９】
図６のジョブでは、第１頁、第２頁、第１１頁〜第１４頁、第１６頁〜第２０頁と、第２インターシート設定で挿入される第１５頁とで、普通紙が使用され、第１インターシート設定で挿入される第３〜第１０頁で、厚紙が使用されることとなる。
すなわち、このジョブでは、第１頁が普通紙を使用する先頭頁として特定され、第３頁が厚紙を使用する先頭頁として特定される。したがって、図６のジョブでは、図９（ｂ）に示すように、第１頁と第３頁とが、確認出力されることとなる。。
【００８０】
次に、図１０のフローチャートを参照しながら、第５の決定条件又は第６の決定条件が設定されている場合に行われる確認出力処理の流れについて説明する。
【００８１】
ステップＳ３０１において、制御部１０１は、ジョブの印刷条件に基づいて、印刷モードが本出力と確認出力との何れであるかを判断し、本出力であると判断すると、ステップＳ３０２に進み、確認出力であると判断すると、ステップＳ３０８に進む。
ステップＳ３０２において、制御部１０１は、印刷頁Ｐに部の先頭頁をセットする（Ｐ＝１）。
ステップＳ３０３において、制御部１０１は、画像形成部６００により印刷頁Ｐの画像形成処理を実行する。
ステップＳ３０４において、制御部１０１は、印刷頁Ｐをインクリメントする（Ｐ＝Ｐ＋１）。
ステップＳ３０５において、制御部１０１は、印刷頁Ｐは部の最終頁であるか否かを判断し、印刷頁Ｐは部の最終頁であると判断すると（ステップＳ３０５；ＹＥＳ）、ステップＳ３０６に進み、一方、印刷頁Ｐは部の最終頁でないと判断すると（ステップＳ３０５；ＮＯ）、ステップＳ３０３に戻る。
ステップＳ３０６において、制御部１０１は、部数をカウントアップする。
ステップＳ３０７において、制御部１０１は、設定部数の画像形成処理が終了したか否かを判断し、設定部数の出力が終了したと判断すると（ステップＳ３０７；ＹＥＳ）、本処理を終了し、一方、設定部数の出力が終了していないと判断すると（ステップＳ３０７；ＮＯ）、部数をインクリメントして、ステップＳ３０２に戻る。
【００８２】
ステップＳ３０８において、制御部１０１は、ジョブの印刷条件に基づいて、プログラミングジョブモードが設定されているか否かを判断し、プログラムジョブモードが設定されていると判断すると（ステップＳ３０８；ＹＥＳ）、ステップＳ３０９に進み、プログラミングジョブモードが設定されていないと判断すると（ステップＳ３０８；ＮＯ）、ステップＳ３１０に進む。
ステップＳ３０９において、制御部１０１は、プログラムジョブモードにおいて結合される各ジョブの先頭頁を、印刷頁リストにセットする。
ステップＳ３１０において、制御部１０１は、ジョブの印刷条件に基づいて、章分けモードが設定されているか否かを判断し、章分けモードが設定されていると判断すると（ステップＳ３０１；ＹＥＳ）、ステップＳ３１１に進み、章分けモードが設定されていないと判断すると（ステップＳ３０１；ＮＯ）、ステップＳ３１２に進む。
ステップＳ３１１において、制御部１０１は、章分けモードにおいて設定された各章の先頭頁を、印刷頁リストにセットする。
ステップＳ３１２において、制御部１０１は、印刷頁Ｐに、印刷頁リストの先頭頁をセットする。
ステップＳ３１３において、制御部１０１は、画像形成部６００により印刷頁Ｐの画像形成処理を実行する。
ステップＳ３１４において、制御部１０１は、印刷頁Ｐは印刷頁リストの最終頁であるか否かを判断し、印刷頁Ｐは印刷頁リストの最終頁でないと判断すると（ステップＳ３１４；ＮＯ）、ステップＳ３１５に進み、印刷頁Ｐは印刷頁リストの最終頁であると判断すると（ステップＳ３１４；ＹＥＳ）、本処理を終了する。
ステップＳ３１５において、制御部１０１は、印刷頁Ｐに印刷頁リストにおける次の頁を設定し、ステップＳ３１３に戻る。
【００８３】
次に、第５の決定条件が設定されている場合に、制御部１０１が、確認出力の対象となるジョブの印刷条件と第５の決定条件とに基づいて確認出力する頁を決定する処理の具体例について説明する。ここでは、一例として、図１１（ａ）に示すプログラミングジョブを対象として確認出力を実行することとする。
【００８４】
まず、制御部１０１は、プログラミングジョブモードが設定されていると判断すると、ジョブの印刷条件に基づいて、結合された各ジョブの先頭頁を特定する。そして、制御部１０１は、結合された各ジョブの先頭頁として特定された頁を対象頁として、画像形成部６００による確認出力用の画像形成処理を実行する。
【００８５】
図１１（ａ）のジョブは、３つのジョブを結合したプログラミングジョブである。なお、ここでは、プログラミングジョブ全体での頁番号を使って説明する。結合されたジョブのうち、１つ目のジョブ１は第１頁〜第３頁の３頁から成り、２つ目のジョブ２は第４頁〜第８頁の５頁から成り、３つ目のジョブ３は第９頁〜第１１頁の３頁から成る。
すなわち、このジョブでは、第１頁がジョブ１の先頭頁として特定され、第４頁がジョブ２の先頭頁として特定され、第９頁がジョブ３の先頭頁として特定される。したがって、図１１（ａ）のジョブでは、図１１（ｂ）に示すように、第１頁と第４頁と第９頁とが、確認出力されることとなる。
【００８６】
次に、第６の決定条件が設定されている場合に、制御部１０１が、確認出力の対象となるジョブの印刷条件と第６の決定条件とに基づいて確認出力する頁を決定する処理の具体例について説明する。ここでは、一例として、図１２（ａ）に示すジョブを対象として確認出力を実行することとする。
【００８７】
まず、制御部１０１は、章分けモードが設定されていると判断すると、ジョブの印刷条件に基づいて、各章の先頭頁を特定する。そして、制御部１０１は、各章の先頭頁として特定された頁を対象頁として、画像形成部６００による確認出力用の画像形成処理を実行する。
【００８８】
図１２（ａ）のジョブでは、第１頁からの章と、第４頁からの章と、第７頁からの章との３つの章に章分けされている。
すなわち、このジョブでは、第１頁と、第４頁と、第７頁とが各章の先頭頁として特定される。したがって、図１２（ａ）のジョブでは、図１２（ｂ）に示すように、第１頁と第４頁と第７頁とが、確認出力されることとなる。
【００８９】
以上説明した本実施形態の画像形成装置１によれば、ジョブの印刷条件を設定する操作表示部５００（設定部）と、操作表示部５００（設定部）により設定された印刷条件に応じて画像形成処理を行う画像形成部６００と、が備わる。また、印刷条件には、確認出力の実行の有無に関する条件が含まれる。そして、制御部１０１により、操作表示部５００（設定部）により設定された印刷条件に確認出力の実行が含まれる場合に、当該印刷条件と予め定められた決定条件とに基づいて、確認出力する頁が決定され、決定された当該確認出力する頁のみを対象として、画像形成部６００による確認出力用の画像形成処理を実行する制御が行われる。
したがって、確認出力用の画像形成処理の実行に際して、ユーザが確認出力する頁を指定する必要がないこととなり、ユーザの操作負担が軽減される。また、印刷条件と予め定められた決定条件に基づいて決定された頁のみを対象として確認出力が実行されることとなるため、目的に応じた頁のみを確認出力することが可能となり、ユーザにとって使い勝手が良く、作業効率性に優れた画像形成装置とすることができる。
【００９０】
また、第１の決定条件は、印刷条件に複数の給紙トレイの使用が含まれる場合に、第１頁を最初の頁とし、印刷条件に含まれる当該複数の給紙トレイの全てを使用することとなる頁を最後の頁として、当該最初の頁から当該最後の頁までの全頁を確認出力する頁として決定する条件である。したがって、印刷条件に複数の給紙トレイの使用が含まれる場合には、第１頁を最初の頁とし、印刷条件に含まれる複数の給紙トレイの全てを使用することとなる頁を最後の頁として、最初の頁から最後の頁までの全頁のみが確認出力されるため、使い勝手が向上する。
【００９１】
また、第２の決定条件は、印刷条件に複数の紙種の使用が含まれる場合に、第１頁を最初の頁とし、印刷条件に含まれる当該複数の紙種の全てを使用することとなる頁を最後の頁として、当該最初の頁から当該最後の頁までの全頁を確認出力する頁として決定する条件である。したがって、印刷条件に複数の紙種の使用が含まれる場合には、第１頁を最初の頁とし、印刷条件に含まれる当該複数の紙種の全てを使用することとなる頁を最後の頁として、当該最初の頁から当該最後の頁までの全頁のみが確認出力されるため、使い勝手が向上する。
【００９２】
また、第３の決定条件は、印刷条件に複数の給紙トレイの使用が含まれる場合に、各給紙トレイを使用する頁の先頭頁を、確認出力する頁として決定する条件である。したがって、印刷条件に複数の給紙トレイの使用が含まれる場合には、各給紙トレイを使用する頁の先頭頁のみが確認出力されるため、使い勝手が向上する。
【００９３】
また、第４の決定条件は、印刷条件に複数の紙種の使用が含まれる場合に、各紙種を使用する頁の先頭頁を、確認出力する頁として決定する条件である。したがって、印刷条件に複数の紙種の使用が含まれる場合には、各紙種を使用する頁のうちの先頭頁のみが確認出力されるため、使い勝手が向上する。
【００９４】
また、第５の決定条件は、印刷条件にプログラミングジョブモードが含まれる場合に、結合された各ジョブの先頭頁を確認出力する頁として決定する条件である。したがって、印刷条件にプログラミングジョブモードが含まれる場合には、結合された各ジョブの先頭頁のみが確認出力されるため、使い勝手が向上する。
【００９５】
また、第６の決定条件は、印刷条件に章分けモードが含まれる場合に、各章の先頭頁を確認出力する頁として決定する条件である。したがって、印刷条件に章分けモードが含まれる場合には、各章の先頭頁のみが確認出力されるため、使い勝手が向上する。
【００９６】
さらに、本実施形態では、第１〜第６の決定条件の何れを設定するかをユーザが設定できるため、ユーザの目的に沿った必要な頁のみを確認出力することが可能となる。
【００９７】
なお、本発明の範囲は、上記実施形態に限られることなく、本発明の趣旨を逸脱しない範囲において、種々の改良並びに設計の変更を行っても良い。
【００９８】
例えば、上記実施形態では、第３の決定条件は、印刷条件に複数の給紙トレイの使用が含まれる場合に、各給紙トレイを使用する頁の先頭頁を確認出力する頁として決定することとして説明したが、各給紙トレイを使用する頁のうち、何れの頁を確認出力する頁として決定しても良い。また、各給紙トレイを使用する頁のうち、確認出力する頁を決定するための更に詳細な条件（例えば、何頁目を確認出力するか、確認出力する頁の印刷条件等）を、ユーザが任意に設定できることとしても良い。
また、同様に、上記実施形態では、第４の決定条件は、印刷条件に複数の紙種の使用が含まれる場合に、各紙種を使用する頁の先頭頁を確認出力する頁として決定することとして説明したが、各紙種を使用する頁のうち、何れの頁を確認出力する頁として決定しても良い。また、各紙種を使用する頁のうち、確認出力する頁を決定するための更に詳細な条件（例えば、何頁目を確認出力するか、確認出力する頁の印刷条件等）を、ユーザが任意に設定できることとしても良い。
【００９９】
また、上記実施形態では、第１〜第６の決定条件のそれぞれが、一つだけ設定されている場合について説明したが、第１の決定条件と第３の決定条件の競合と、第２の決定条件と第４の決定条件の競合が無い限り、これらの決定条件は、自由に組み合わせて設定することができる。
【０１００】
また、上記実施形態では、第１〜第６の決定条件の設定の有無をユーザが選択することとして説明したが、第１〜第６の決定条件のうち、機械側に少なくとも一つの決定条件が予め設定されており、予め設定された決定条件に基づいて確認出力を実行するように構成されていても良い。
【図面の簡単な説明】
【０１０１】
【図１】本実施形態の画像形成装置の概略構成を示す正面図である。
【図２】画像形成装置の機能的構成を示すブロック図である。
【図３】ジョブ情報の一例である。
【図４】画像データのイメージ図の一例である。
【図５】第１の決定条件又は第２の決定条件が設定されている場合に行われる確認出力処理の流れを示すフローチャートである。
【図６】確認出力処理の対象となるジョブを説明するための説明図である。
【図７】第１の決定条件又は第２の決定条件が設定されている場合に、図６のジョブを対象とする確認出力処理によって、確認出力される頁を説明するための説明図である。
【図８】第３の決定条件又は第４の決定条件が設定されている場合に行われる確認出力処理の流れを示すフローチャートである。
【図９】第３の決定条件又は第４の決定条件が設定されている場合に、図６のジョブを対象とする確認出力処理によって、確認出力される頁を説明するための説明図である。
【図１０】第５の決定条件又は第６の決定条件が設定されている場合に行われる確認出力処理の流れを示すフローチャートである。
【図１１】第５の決定条件が設定されている場合に、確認出力処理によって確認出力される頁を説明するための説明図である。
【図１２】第６の決定条件が設定されている場合に、確認出力処理によって確認出力される頁を説明するための説明図である。
【符号の説明】
【０１０２】
１              画像形成装置
１０１          制御部
５００          操作表示部（設定部）
６００          画像形成部
ＦＴ１〜ＦＴ３  給紙トレイ
【図１】
2010131760.tif 000003
【図２】
2010131760.tif 000004
【図３】
2010131760.tif 000005
【図４】
2010131760.tif 000006
【図５】
2010131760.tif 000007
【図６】
2010131760.tif 000008
【図７】
2010131760.tif 000009
【図８】
2010131760.tif 000010
【図９】
2010131760.tif 000011
【図１０】
2010131760.tif 000012
【図１１】
2010131760.tif 000013
【図１２】
2010131760.tif 000014